【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】  記録データに基づき記録を行う記録手段を用い、複数種類の記録媒体に画像を記録することが可能な画像記録装置であって、
記録媒体を搬送するための搬送手段と、
複数種類の記録媒体を収容するための収容部と、
前記収容部に収容されている複数種類の記録媒体のうち、これから前記記録手段側へ搬送されることになる記録媒体の種類を判別するための記録媒体判別部と、
これから記録しようとする記録媒体の種類に対応した情報を入力するための入力部と、
前記入力部により入力された情報に対応する記録媒体の種類と前記記録媒体判別部が判別した記録媒体の種類とが一致するかどうかを判定する判定部とを備え、
前記判定部により一致すると判定された場合、前記収容部から前記記録媒体を前記記録手段側へ搬送し、前記搬送された記録媒体に対して前記記録手段により記録を行うことを特徴とする画像記録装置。
【請求項２】  前記判定部により一致しないと判定された場合、前記複数種類の記録媒体のうちこれから前記記録手段側へ搬送されることになる記録媒体を搬送し該記録媒体に対して記録を行わずに排紙する処理と前記判定部による判定工程とを、前記判定部により一致すると判定されるまで繰り返すことを特徴とする請求項１に記載の画像記録装置。
【請求項３】  前記記録媒体の種類に対応する情報は、外部装置から供給される記録データに含まれることを特徴とする請求項１または２に記載の画像記録装置。
【請求項４】  前記入力部には、前記記録媒体の種類に対応する情報を含む記録データが入力され、
前記判定部により一致しないと判定された場合、前記記録データをメモリ部に格納しないことを特徴とする請求項１に記載の画像記録装置。
【請求項５】  前記入力部には、前記記録媒体の種類に対応する情報を含む記録データが入力され、
前記判定部により一致しないと判定された場合、前記記録データを消去することを特徴とする請求項１に記載の画像記録装置。
【請求項６】  前記入力部には、前記記録媒体の種類に対応する情報を含む記録データが入力され、
前記判定部により一致しないと判定された場合、前記記録データをメモリ部に一時的に格納し、引き続き入力された記録データのうち前記判定部により一致すると判定された記録データについて記録を行い、前記メモリ部に格納した前記記録データは前記判定部により一致すると判定されたときに記録を行うことを特徴とする請求項１に記載の画像記録装置。
【請求項７】  前記収容部に収容されている複数種類の記録媒体のうちこれから前記記録手段側へ搬送されることになる記録媒体とは、前記収容部に積載している記録媒体の中で最上部に位置していることを特徴とする請求項１乃至６のいずれかに記載の画像記録装置。
【請求項８】  前記記録媒体判別部は、性質の異なる複数種類の記録媒体を判別可能なセンサであることを特徴とする請求項１乃至７のいずれかに記載の画像記録装置。
【請求項９】  前記性質の異なる複数種類の記録媒体とは、普通紙、インクジェット専用紙、光沢紙、光沢フィルム、ハガキ、バックプリントフィルム、ＯＨＰ用シ−ト、厚紙のうちの、少なくとも２種類の記録媒体であることを特徴とする請求項１乃至８のいずれかに記載の画像記録装置。
【請求項１０】  前記記録媒体の種類に対応する情報とは、記録媒体の種類そのものに関する情報であることを特徴とする請求項至１乃至９のいずれかに記載の画像記録装置。
【請求項１１】  前記記録媒体の種類に対応する情報とは、使用するインクの種類と印字モードとの組み合わせに関する情報であることを特徴とする請求項１乃至９のいずれかに記載の画像記録装置。
【請求項１２】  使用するインクの種類と印字モードの両者の組み合わせと、記録媒体の種類とが１対１に対応したテーブルを備え、
前記テーブルを参照して、前記使用するインクの種類と印字モードに関する情報から前記記録媒体の種類を決定することを特徴とする請求項１１に記載の画像記録装置。
【請求項１３】  前記記録媒体判別部は、性質の異なる複数種類の記録媒体を判別可能な第１の判別部と記録媒体のサイズを判別可能な第２の判別部を備えることを特徴とする請求項１乃至１２のいずれかに記載の画像記録装置。
【請求項１４】  記録データに基づき記録を行う記録手段を用い、複数種類の記録媒体に画像を記録することが可能な画像記録装置であって、
記録媒体を搬送するための搬送手段と、
複数種類の記録媒体を収容するための収容部と、
前記収容部に収容されている複数種類の記録媒体のうちこれから前記記録手段側へ搬送されることになる記録媒体のサイズを判別するための記録媒体判別部と、
これから記録しようとする記録媒体のサイズに対応した情報を入力するための入力部と、
前記入力部により入力された情報に対応する記録媒体のサイズと前記記録媒体判別部が判別した記録媒体のサイズとが一致するかどうかを判定する判定部とを備え、
前記判定部により一致すると判定された場合、前記収容部から前記記録媒体を前記記録手段側へ搬送し、前記搬送された記録媒体に対して前記記録手段により記録を行い、
前記判定部により一致しないと判定された場合、前記複数種類の記録媒体のうちこれから前記記録手段側へ搬送されることになる記録媒体を搬送し該記録媒体に対して記録を行わずに排紙する処理と前記判定部による判定工程とを、前記判定部により一致すると判定されるまで繰り返すことを特徴とする画像記録装置。
【請求項１５】  記録データに基づき記録を行う記録手段を用い、複数種類の記録媒体に画像を記録することが可能な画像記録装置であって、
記録媒体を搬送するための搬送手段と、
複数種類の記録媒体を収容するための収容部と、
前記収容部に収容されている複数種類の記録媒体のうちこれから前記記録手段側へ搬送されることになる記録媒体のサイズを判別するための記録媒体判別部と、
外部装置から供給され、記録媒体のサイズに対応する情報を含む記録データを入力するための入力部と、
前記入力部により入力された情報に対応する記録媒体のサイズと前記記録媒体判別部が判別した記録媒体のサイズとが一致するかどうかを判定する判定部とを備え、
前記判定部により一致しないと判定された場合、前記記録データを消去することを特徴とする画像記録装置。
【請求項１６】  記録データに基づき記録を行う記録手段を用い、複数種類の記録媒体に画像を記録することが可能な画像記録方法であって、
記録媒体を搬送する搬送工程と、
収容部に収容されている複数種類の記録媒体のうちこれから前記記録手段側へ搬送されることになる記録媒体の種類を判別するための記録媒体判別工程と、
これから記録しようとする記録媒体の種類に対応した情報を入力する入力工程と、
前記入力工程により入力された情報に対応する記録媒体の種類と前記記録媒体判別工程で判別した記録媒体の種類とが一致するかどうかを判定する判定工程とを備え、
前記判定工程により一致すると判定された場合、前記収容部から前記記録媒体を前記記録手段側へ搬送し、前記搬送された記録媒体に対して前記記録手段により記録を行うことを特徴とする画像記録方法。
【請求項１７】  記録データに基づき記録を行う記録手段を用い、複数種類の記録媒体に画像を記録することが可能な画像記録方法であって、
記録媒体を搬送する搬送工程と、
収容部に収容されている複数種類の記録媒体のうちこれから前記記録手段側へ搬送されることになる記録媒体のサイズを判別するための記録媒体判別工程と、
これから記録しようとする記録媒体のサイズに対応した情報を入力する入力工程と、
前記入力工程により入力された情報に対応する記録媒体のサイズと前記記録媒体判別工程で判別した記録媒体のサイズとが一致するかどうかを判定する判定工程とを備え、
前記判定工程により一致すると判定された場合、前記収容部から前記記録媒体を前記記録手段側へ搬送し、前記搬送された記録媒体に対して前記記録手段により記録を行い、
前記判定工程により一致しないと判定された場合、前記複数種類の記録媒体のうちこれから前記記録手段側へ搬送されることになる記録媒体を搬送し該記録媒体に対して記録を行わずに排紙する処理と前記判定工程とを、前記判定工程により一致すると判定されるまで繰り返すことを特徴とする画像記録方法。
【請求項１８】  記録データに基づき記録を行う記録手段を用い、複数種類の記録媒体に画像を記録することが可能な画像記録方法であって、
記録媒体を搬送する搬送工程と、
収容部に収容されている複数種類の記録媒体のうちこれから前記記録手段側へ搬送されることになる記録媒体のサイズを判別するための記録媒体判別工程と、
外部装置から供給され、記録媒体のサイズに対応する情報を含む記録データを入力する入力工程と、
前記入力工程により入力された情報に対応する記録媒体のサイズと前記記録媒体判別工程で判別した記録媒体のサイズとが一致するかどうかを判定する判定工程とを備え、
前記判定工程により一致しないと判定された場合、前記記録データを消去することを特徴とする画像記録方法。